(57)【要約】      （修正有）【解決手段】食品等を挟むＵ字形の器具の先端の挟む部分３を一つのスプーンを半割れにした形状にし、合わせると一つのスプーンを形成するようにし、挟む部分３を閉じるとスプーンのように食材を掬うことができ、かつ、開閉すると挟み器具のように物を挟むことが可能な食器を提供する。また、二本の保持部１を揃えて保持しやすい形状にして通常のスプーンと同様に保持できる食器や、保持する部分に対して先端のスプーン形状の部分の角度を変え、かつ、スプーン形状の部分に穴を明けることにより、穴明きお玉としての機能と具を挟む機能を兼ね備えた掬い具兼挟み具。【効果】挟む部分を閉じて食品を掬って食べている間に掬うのが困難な食品を取る場合は食器を持つ手の握る力を緩めるだけで掬うのが困難な食品を挟んで取ることが可能になり、食器の持ち替えや使っていない食器の置き場を要せず、スムーズな食事が可能になる。【選択図】図２
2006230999.tif 000002
【特許請求の範囲】
【請求項１】
二本の、食品等を挟む部分である挟み部、手で保持して操作する部分である保持部、これらを連結する部分である連結部からなるＵ字形の公知の挟み器具において、双方の挟み部を一つのスプーンを半割れにした形状にするとともに、連結部及び保持部に材質に応じた幅と厚みを持たせ、外力がない状態では挟み部が適度に開き、閉じる方向に保持部に軽く力を入れるだけで容易に閉じ、かつ、挟み部が前後及び上下に合い、スプーンの掬う部分を形成するように適度な剛性を持たせ、さらに、保持部に対して挟み部に通常のスプーンと同程度の角度をつけた掬い具兼挟み具。
【請求項２】
挟み部を閉じると保持部が平行になって接する形状にした請求項１に記載の掬い具兼挟み具。
【請求項３】
保持部に対して挟み部を通常のお玉と同程度の角度にし、かつ、挟み部に通常の穴明きお玉と同程度の大きさと数の穴を明けた請求項１に記載の掬い具兼挟み具。
【発明の詳細な説明】
【技術分野】
【０００１】  本発明はスプーンや穴明きお玉及び挟み器具等固形物を掬う食器及び挟む食器に関する。
【背景技術】
【０００２】  従来この種の食器としては、食品を掬う場合はスプーン、食品を挟み取る場合は挟み器具と別々の食器が提供され、その都度用途に応じた食器が選択され使用されている。【０００３】  また、汁の中から具を掬う食器として穴明きお玉が提供されており、これで具と汁を一緒に掬い、汁を切ってから具だけを取る。
【発明の開示】
【発明が解決しようとする課題】
【０００４】  スプーンで掬って食べる食事において、スプーンで食品を掬って食べている間に野菜等スプーンで掬うことが困難な食品を取る時は箸やフォーク等他の食器に持ち替えなければならず、煩わしく、また、使わない方の食器の置き場が必要である。【０００５】  また、鍋料理等で穴明きお玉を用いて具を取る状況において、穴明きお玉では長い具を掬うことが困難で、穴明きお玉で短い具を取っている間に長い具を取るためには箸等に持ち替えなければならず、手間がかかって煩わしく、また、お玉が掬うだけの機能しかないため具を選別して掬うことが困難であるとともに、短い具を掬う際に一緒に掬った長い具がお玉の掬う部分に乗せているだけなので、具を運ぶ際に長い具が落ちることが多い。
【課題を解決するための手段】
【０００６】  食品等を挟むＵ字形の器具において、挟む部分の双方を一つのスプーンの掬う部分を半割れにした形状にするとともに、連結する部分から保持する部分にかけて材質に応じた幅と厚みにし、外力がない状態では挟む部分が適度に開き、閉じる方向に手で保持する部分に軽く力を入れるだけで挟む部分が閉じ、かつ、前後、上下共に合い、スプーンの掬う部分を形成するように、適度な剛性を持たせる。【０００７】  この食器により、食品を掬う場合は先端の挟む部分が閉じるように手で保持する部分に軽く力を入れて閉じてスプーンとして使用し、物を挟む場合は手の力を緩めて挟む部分を広げ、物を挟んでから閉じ、挟み具として使用する。【０００８】  請求項２においては、請求項１の食器の先端の挟む部分を合わせると手で保持する部分が平行になって接する形状にし、一般のスプーンを保持する位置に揃えて保持することを容易にする。【０００９】  請求項３においては、請求項１の食器の手で保持する部分に対して先端の挟む部分に一般のお玉と同程度の角度をつけ、挟む部分すなわちスプーン状の部分に一般の穴明きお玉と同様の大きさと数の穴を明ける。
【発明の効果】
【００１０】  この食器により、挟む部分を閉じて食品を掬って食べている間に掬うのが困難な食品を取る場合は食器を持つ手の握る力を緩めるだけで掬うのが困難な食品を挟んで取ることが可能になり、食器の持ち替えや使っていない食器の置き場を要せず、スムーズな食事が可能になる。【００１１】  請求項１の食器は保持部に幅を持たせており、手を上からかぶせるように本食器を保持し、使用することを意図しているが、請求項２においては、本食器を一般のスプーンを保持する位置に揃えて保持することが可能になり、使用者の好む保持方法の食器を選択できる。【００１２】  請求項３においては、短い具を取りたい時は本食器で掬い、長い具を取りたい時は本食器で挟み、食器を持ち帰ることなく双方の具が取れるようになるとともに、短い具を掬う場合でも具を挟んで持ち上げて他の具と離してから掬う等、具の選択が容易になる。【００１３】  また、短い具と長い具を一緒に取る場合においても、長い具はスプーン形状の部分の合わせ面で挟み、短い具は乗せることが可能なため、運ぶ間に落ちることが少なくなり、短い具と一緒に長い具を取ることが可能になる。
【発明を実施するための最良の形態】
【００１４】  本発明の実施の形態を図１から図４に基づいて説明する。【００１５】  本発明の請求項１の実施の形態を図１及び図２に示す。【００１６】  食品等を挟むＵ字形の器具において、先端の▲３▼挟み部を一つのスプーンを半割れにした形状にするとともに、外力がない状態では▲３▼挟み部が適度に開き、▲１▼保持部が閉じる方向に軽く力を入れると▲３▼挟み部が閉じ、かつ、▲３▼挟み部の合わせ面が前後、上下方向に合い、一つのスプーンを形成するように▲２▼連結部から▲１▼保持部にかけて適度な剛性を持たせる。【００１７】  また、▲１▼保持部に対して▲３▼挟み部に一般のスプーンと同程度の角度を付け、縁が高い食器上の物を掬いやすくする。【００１８】  さらに先端の▲３▼挟み部は合わせ面に適度な大きさの凹凸を付け、挟んだ物を保持することを容易にする。【００１９】  本発明の請求項２の実施の形態を図３に示す。【００２０】  請求項２においては、請求項１の食器の▲３▼挟み部が合うように▲１▼保持部を閉じると▲１▼保持部が平行に接する形状にし、▲１▼保持部を揃えて保持できるようにする。【００２１】  これにより、食品を掬う場合は一般のスプーンを保持する位置に本さじ挟みを保持し、一般のスプーンと同じ要領で本さじ挟みを使用することが可能になる。【００２２】  本発明の請求項３の実施の形態を図４及び図５に示す。【００２３】  請求項１の食器のサイズを一般のお玉と同様の大きさにするとともに、▲１▼保持部に対して▲３▼挟み部を一般のお玉と同程度の角度にし、さらに▲３▼挟み部に一般の穴明きお玉と同程度の大きさと数の穴を明ける。【００２４】  これにより穴明きお玉の機能を備えたうえに物を挟む機能が加わり、かつ、挟む物や掬う物の選択や運搬が容易になる。
【図面の簡単な説明】
【００２５】
【図１】請求項１のさじ挟みの正面図
【図２】請求項１のさじ挟みの平面図
【図３】請求項２のさじ挟みの平面図
【図４】請求項３のさじ挟みの正面図
【図５】請求項３のさじ挟みの側面図
【符号の説明】
【００２６】  ▲１▼  保持部
▲２▼  連結部
▲３▼  挟み部
【図１】
2006230999.tif 000003
【図２】
2006230999.tif 000004
【図３】
2006230999.tif 000005
【図４】
2006230999.tif 000006
【図５】
2006230999.tif 000007
【手続補正書】
【提出日】平成17年5月12日(2005.5.12)
【手続補正２】
【補正対象書類名】特許請求の範囲
【補正対象項目名】全文
【補正方法】変更
【補正の内容】
【特許請求の範囲】
【請求項１】
二本の腕状の、食品等を挟む部分である挟み部と手で保持して操作する部分である保持部（以下保持部と挟み部を総称して腕と呼ぶ。）、及びこれらを連結する部分である連結部からなるＵ字形の公知の挟み器具において、双方の挟み部を一つのスプーンの掬う部分を半割れにした形状にするとともに、外力がない時は腕が適度に開き、閉じる方向に保持部に軽く力を入れるだけで腕が容易に閉じ、かつ、挟み部が前後及び上下に合ってスプーンの掬う部分を形成するように全体に適度な剛性と弾性を持たせ、さらに、保持部に対して挟み部に通常のスプーンと同程度の角度をつけた掬い具兼挟み具。
【請求項２】
保持部に対して挟み部を通常の料理用お玉と同程度の角度にし、かつ、挟み部に通常の穴明きお玉と同程度の大きさと数の穴を明けた請求項１に記載の掬い具兼挟み具。
【請求項３】
保持部と挟み部の間付近の一方の腕の内側に、先端が細く付け根が先端より太いテーパーのある細い棒を他方の腕に向かって立てるように取付け、他方の腕の前述の棒と同じ位置に前述の棒の付け根の径より少し大きい穴を明け、腕を閉じるとこの棒が穴に入って穴の縁に押されてガイドになり、挟み部の位置が前後及び上下ともに合う機能を備えた請求項１及び請求項２に記載の掬い具兼挟み具。
【手続補正３】
【補正対象書類名】明細書
【補正対象項目名】全文
【補正方法】変更
【補正の内容】
【発明の詳細な説明】
【技術分野】
【０００１】本発明はスプーンや穴明きお玉及び挟み器具等食材をすくう目的及び挟む目的に使用する食器に関する。
【背景技術】
【０００２】従来この種の食器としては、食品をすくう場合はスプーン、食品を挟み取る場合は挟み器具と別々の食器が提供され、用途に応じた食器が使用の都度選択され使用されている。【０００３】また、汁の中から具をすくう食器として穴明きお玉が市販されており、これで具と汁を一緒に掬い、汁を切ってから具だけを取る。
【発明の開示】
【発明が解決しようとする課題】
【０００４】食品をスプーンですくって食べる食事において、スプーンで食品をすくって食べている間に野菜等スプーンですくうことが困難な食品を取る時は箸やフォーク等他の食器に持ち替えなければならず、持ち替えが煩わしく、また、使わない方の食器の置き場が必要である。【０００５】また、鍋料理等で穴明きお玉を用いて具を取る状況において、穴明きお玉では長い具をすくうことが困難であり、すくうことができても運ぶ途中で具が落ちやすく、通常は長い具を取る際は箸等の挟む食器を使用する。【０００６】長い具のある鍋料理ではこのように箸と穴明きお玉等複数の食器を持ち替えながら使用しなければならず、持ち替えが煩わしく、使わない方の食器の置き場が必要である。
【課題を解決するための手段】
【０００７】食品等を挟むＵ字形の挟み器具において、双方の挟む部分を一つのスプーンのすくう部分を半割れにした形状にするとともに、外力がない状態では挟む部分が適度に開き、保持する部分に閉じる方向に軽く力を入れるだけで挟む部分が閉じ、かつ、挟む部分が前後及び上下に合ってスプーンのすくう部分を形成するように全体に適度な剛性と弾性を持たせる。【０００８】この食器により、食品をすくう場合は保持する部分に閉じる方向に軽く力を入れて先端の挟む部分を閉じてスプーンとして使用し、物を挟む場合は挟む部分を開閉し、挟み具として使用する。【０００９】請求項２においては、請求項１の食器の手で保持する部分に対して先端の挟む部分に一般の料理用お玉と同程度の角度をつけ、挟む部分すなわちスプーン状の部分に一般の穴明きお玉と同程度の大きさの穴を適度な数明ける。【００１０】請求項３においては、保持部と挟み部（以下、保持部と挟み部を総称して腕と呼ぶ。）の間付近の一方の腕の内側に、先が細く根元が先端より太い棒を他方の腕に向かって立てるように付け、他方の腕のこの棒と同じ位置にこの棒の根元の直径よりわずかに大きい穴を明け、腕を閉じるだけでこの棒が穴に入り、穴の縁に押されてガイドになり、挟み部が前後及び上下に合うようにする。
【発明の効果】
【００１１】この食器により、腕を閉じるだけで先端の挟む部分がスプーンのすくう部分を形成し、食品をすくって食べることができ、その間にすくうことが困難な食品を取る場合は食器を持つ手の握る力を緩めるだけですくう部分が開き、すくうことが困難な食品を挟んで取ることが可能になり、食器の持ち替えや使っていない食器の置き場を要せず、スムーズな食事が可能になる。【００１２】請求項２においては、汁の中から具をすくったり挟んだりして取る料理において、短い具を取りたい時は本食器ですくい、長い具を取りたい時は本食器で挟み、食器を持ち帰ることなく双方の具が取れるようになるとともに、短い具をすくう場合でも具を挟んで持ち上げて他の具と離してからすくうことが可能になり、具の選択が容易になる。【００１３】腕を閉じるだけで自動的に先端の挟み部が合うような剛性を有しない材質や寸法に設定した請求項１及び請求項２のすくい具兼挟み具において、請求項３の機能を有することにより、保持部を閉じるだけで挟み部が前後及び上下に合ってスプーンのすくう部分を形成でき、軽量で柔軟なすくい具兼挟み具を提供できる。
【発明を実施するための最良の形態】
【００１４】本発明の実施の形態を図１から図４に基づいて説明する。【００１５】本発明の請求項１の実施の形態を図１及び図２に示す。【００１６】二本の、物を挟む部分である▲３▼挟み部とこれと隣接し手で保持する部分である▲１▼保持部（以下、保持部と挟み部を総称して腕と呼ぶ。）、及びこれら二本を連結する▲２▼連結部からなる食品等を挟む公知のＵ字形の挟み具において、先端の▲３▼挟み部を一つのスプーンのすくう部分を半割れにした形状にするとともに、外力がない状態では腕が適度に開き、腕が閉じる方向に軽く力を入れると▲３▼挟み部が閉じ、かつ、▲３▼挟み部の合わせ面が前後及び上下方向に合い、一つのスプーンのすくう部分を形成するように全体に適度な剛性と弾性を持たせる。【００１７】また、▲１▼保持部に対して▲３▼挟み部に上下方向に約１５度の角度を付け、縁が高い食器上の物を掬いやすくする。【００１８】さらに先端の▲３▼挟み部の合わせ面に、山谷の高さが２ミリから５ミリ程度の適度な大きさの凹凸を付け、挟んだ物の保持を容易にする。【００１９】本発明の請求項２の実施の形態を図３に示す。【００２０】請求項１の掬い具兼挟み具の本体の大きさを一般の料理用お玉と同様の大きさにするとともに、▲１▼保持部に対して▲３▼挟み部の角度を７０度から９０度にし、さらに▲３▼挟み部に一般の穴明きお玉と同程度の大きさと数の穴を明ける。【００２１】これにより穴明きお玉の機能を備えたうえに物を挟む機能が加わり、食材の選択や運搬が容易になる。【００２２】本発明の請求項３の実施の形態を図４に示す。【００２３】請求項１及び請求項２の掬い具兼挟み具の保持部と挟み部の間付近に、一方の腕の内側に先が細く根元が先端より太い▲４▼棒を他方の腕に向かって立てるように取り付け、他方の腕のこの▲４▼棒と同じ位置にこの▲４▼棒の根元の直径よりわずかに大きい穴を明け、腕を閉じる際にこの▲４▼棒が他方の腕の穴に入り、穴の縁に押され、ガイドになるようにする。【００２４】腕を閉じるだけでは挟み部が前後又は上下に合う剛性を有しない板厚や材質を用いた請求項１及び請求項２の掬い具兼挟み具において、請求項３に示す▲４▼棒と穴を設けることにより、腕を閉じるだけで挟み部が前後及び上下に合う。
【図面の簡単な説明】
【００２５】
【図１】請求項１のさじ挟みの平面図
【図２】請求項１のさじ挟みの正面図
【図３】請求項２のさじ挟みの側面図
【図４】請求項３のさじ挟みの平面図
【符号の説明】
【００２６】▲１▼  保持部
▲２▼  連結部
▲３▼  挟み部
▲４▼  棒
▲５▼  穴
【手続補正４】
【補正対象書類名】図面
【補正対象項目名】全図
【補正方法】変更
【補正の内容】
【図１】
2006230999.tif 000008
【図２】
2006230999.tif 000009
【図３】
2006230999.tif 000010
【図４】
2006230999.tif 000011